(57)【要約】【課題】バーコードの読取を制御認識することにより、低コストで導入が容易な方式により、高度なトレーサビリティを実現する画像監視システムを提供する。【解決手段】１００１はネットワーク１０００に接続したＷＥＢカメラである。１００２は、ＷＥＢカメラの画像を記録するデータ格納部であり、ＷＥＢカメラと協働して撮影・記録手段を構成する。１００３は業務を行うワークエリアであり、ワークエリア内にはバーコードリーダー１００４が設けられている。ｗｅｂカメラ１００１は、ホストコンピュータ１００７の管理の下、ワークエリア内に設定された撮影エリア１００８内を撮影するように撮影パラメータが調整されており、撮影した画像はネットワーク１０００経由でデータ格納部１００２に記録されるように構成されている。【選択図】図１
2012114886.tif 000002
【特許請求の範囲】
【請求項１】
撮影装置を利用した業務監視システムにおいて、
１）業務を行うワークエリアに撮影範囲を設定し、前記業務を予め設定した間隔で連続して静止画もしくは動画を撮影することによって画像記録する、ネットワークに接続した撮影・記録手段と、
２）バーコードを付加した前記業務に供する物と、
３）前記ワークエリア内にバーコードの読取エリアが設定され、該読取エリア内の前記業務に供する物の有無及び移動に関係なく常時読取と読取情報の送信を繰り返すように動作を制御され、前記ネットワークに接続されたバーコードリーダーと、
４）前記バーコードリーダーからの読取情報を受信して、該読取情報を解析し、該読取情報に前記バーコードの情報が含まれる間を一の業務継続中と判断し、前記撮影・記録手段を制御して業務継続中と判断された間に取得した画像をグループ化して、前記一の業務に係る監視データとして当該業務を識別する情報と関連付けて記録する、前記ネットワークに接続したホストコンピュータと
を備えることを特徴とするシステム。
【請求項２】
前記バーコードリーダーの動作の制御は、該バーコードリーダー内部の制御プログラムに前記繰り返しの動作の機能を付加することにより行われるものであることを特徴とする請求項１記載のシステム。
【請求項３】
撮影装置を利用した業務監視システムにおいて、
１）業務を行うワークエリアに撮影範囲を設定し、前記業務を予め設定した間隔で連続して静止画もしくは動画を撮影することによって画像記録する、ネットワークに接続した撮影・記録手段と、
２）バーコードを付加した前記業務に供する物と、
３）前記ワークエリア内に前記バーコードの読取エリアを設定し、前記ネットワークに接続されたバーコードリーダーと、
４）前記バーコードリーダーに対して常時読取依頼コマンドを繰り返し送信して、該バーコードリーダーの読取情報を受信して、該読取情報を解析し、該読取情報に前記バーコードの情報が含まれる間を一の業務継続中と判断し、前記撮影・記録手段を制御して業務継続中と判断された間に取得した画像をグループ化して、前記一の業務に係る監視データとして当該業務を識別する情報と関連付けて記録する、前記ネットワークに接続したホストコンピュータと
を備えることを特徴とするシステム。
【請求項４】
前記業務に供する物は、前記業務に係る書類を運ぶための書類ホルダーであることを特徴とする請求項１乃至３のいずれかに記載のシステム。
【発明の詳細な説明】
【技術分野】
【０００１】本発明は、撮影装置を利用して、業務を監視する画像監視システム、特にバーコードの読取の有無により、業務を認識し、撮影・記録を制御する画像監視システムに関する。
【背景技術】
【０００２】記憶媒体や記憶装置の大容量化にともない、ビデオカメラで業務を監視するシステムが様々な業務において事故や犯罪を防止する目的で利用されている。【０００３】しかしながら、タダ漫然とビデオに業務や業務が行われているワークエリアを撮影しつづけている従来の監視システムでは、業務事故や業務に関わる商品に瑕疵が発見されてその原因や瑕疵の範囲をトレースしようとしても、膨大なビデオデータから瑕疵に関係する画像を探し出すことは時間の掛かる作業であり、敏速な対応を要求する高度なトレーサビリティを実現するには、問題があるシステムであった。
【先行技術文献】
【特許文献】
【０００４】漫然と画像記録するのではなく、ＲＦＩＤタグの読取をトリガーとして業務シークエンスを区切りながら画像記録していくシステムとして、特許文献１に挙げられる本願出願人によるシステムがある。
ここでは、薬局業務に用いる搬器に取り付けたＲＦＩＤタグ、撮影エリア内にＲＦＩＤタグの検出エリアを設定したＲＦＩＤリーダーを構成に含むシステムが提案されており、この搬器が作業台の所定の位置に置かれると前記ＲＦＩＤタグが検出され、このＲＦＩＤタグを検出している間の画像を記録するものとし、高いトレーサビリティを実現している。
【特許文献１】  特許第４２７６６５４号
【発明の概要】
【発明が解決しようとする課題】
【０００５】しかしながら、ＲＦＩＤタグおよびＲＦＩＤリーダーを活用したシステムは、比較的コストが高く、業務毎にＲＦＩＤタグを付加した搬器を用意する必要があり、より安価で導入が容易なシステムにより、高度なトレーサビリティを実現する画像監視システムを提供することが求められていた。
【課題を解決するための手段】
【０００６】本発明者は、上記課題を達成するため鋭意検討の結果、業務に供する物にバーコードを付加して、このバーコードの読取の有無のパターンを認識し、認識した結果に基づいて撮影・記録手段を制御していくことで高いトレーサビリティを実現するシステムを低コストで実現可能であることを知見し、本発明をなすに至った。【０００７】請求項１記載の発明は、撮影装置を利用した業務監視システムにおいて、
１）業務を行うワークエリアに撮影範囲を設定し、前記業務を予め設定した間隔で連続して静止画もしくは動画を撮影することによって画像記録する、ネットワークに接続した撮影・記録手段と、
２）バーコードを付加した前記業務に供する物と、
３）前記ワークエリア内にバーコードの読取エリアが設定され、該読取エリア内の前記業務に供する物の有無及び移動に関係なく常時読取と読取情報の送信を繰り返すように動作を制御され、前記ネットワークに接続されたバーコードリーダーと、
４）前記バーコードリーダーからの読取情報を受信して、該読取情報を解析し、該読取情報に前記バーコードの情報が含まれる間を一の業務継続中と判断し、前記撮影・記録手段を制御して業務継続中と判断された間に取得した画像をグループ化して、前記一の業務に係る監視データとして当該業務を識別する情報と関連付けて記録する、前記ネットワークに接続したホストコンピュータと
を備えることを特徴とする。【０００８】請求項２記載の発明は、請求項１記載のシステムにおいて、前記バーコードリーダーの動作の制御は、該バーコードリーダーの内部の制御プログラムに前記繰り返しの動作の機能を付加することにより行われるものであることを特徴とする。【０００９】請求項３記載の発明は、撮影装置を利用した業務監視システムにおいて、
１）業務を行うワークエリアに撮影範囲を設定し、前記業務を予め設定した間隔で連続して静止画もしくは動画を撮影することによって画像記録する、ネットワークに接続した撮影・記録手段と、
２）バーコードを付加した前記業務に供する物と、
３）前記ワークエリア内に前記バーコードの読取エリアを設定し、前記ネットワークに接続されたバーコードリーダーと、
４）前記バーコードリーダーに対して常時読取依頼コマンドを繰り返し送信して、該バーコードリーダーの読取情報を受信して、該読取情報を解析し、該読取情報に前記バーコードの情報が含まれる間を一の業務継続中と判断し、前記撮影・記録手段を制御して業務継続中と判断された間に取得した画像をグループ化して、前記一の業務に係る監視データとして当該業務を識別する情報と関連付けて記録する、前記ネットワークに接続したホストコンピュータと
を備えることを特徴とする。【００１０】請求項４記載の発明は、請求項１乃至３記載の発明における前記業務に供する物は、前記業務に係る書類を運ぶための書類ホルダーであることを特徴とする。
【発明の効果】
【００１１】本発明により、撮影・記録手段を適切に制御し、撮影の対象とする業務を漏れなく撮影し、かつ瑕疵や事故があった場合などに関連する画像を敏速に検索できるように業務毎にグループ化された監視データを生成し、高度なトレーサビリティを実現する画像監視システムを提供することができる。
【図面の簡単な説明】
【００１２】
【図１】実施例１の概略構成図
【図２】バーコードリーダーと書類ホルダーの構成図
【図３】バーコードリーダーの動作を示したフローチャート
【図４】ホストコンピュータの内部構成図
【図５】実施例１の原理を示したタイムチャート
【図６】実施例２の概略構成図
【図７】実施例２に採用するバーコードリーダーと書類ホルダーの構成図
【図８】ホストコンピュータの内部構成図
【図９】バーコードリーダーの制御動作を示したフローチャート
【図１０】実施例２の原理を示したタイムチャート
【発明を実施するための形態】
【００１３】以下、本発明の具体例につき図面を用いて説明する。
【実施例１】
【００１４】図１は、本発明の実施例１のシステムの概略構成図である。
１００１はネットワーク１０００に接続したＷＥＢカメラである。１００２は、ＷＥＢカメラの画像を記録するデータ格納部であり、ＷＥＢカメラと協働して撮影・記録手段を構成する。
１００３は業務を行うワークエリアであり、ワークエリア内にはバーコードリーダー１００４が設けられている。業務を行う作業者１００５は、バーコードが付加された書類ホルダー１００６を持って、ワークエリアに入室するように業務手順を定めて運用する。書類ホルダーは、業務進行のための作業指示書を保持する作業に必須のツールであり、必ず業務に供する物である。
ここでバーコードを書類ホルダーに付加するものとしているが、本発明の業務に供する物はこれに限定されるものではなく、業務のために商品等を運搬するトレイ等の搬器や作業指示書などの書類に付加するなど本システムを導入する事業所の事情に応じて適宜採用可能である。
１００７は、システム全体を管理・制御するホストコンピュータである。【００１５】ｗｅｂカメラ１００１は、ホストコンピュータ１００７の管理の下、ワークエリア内に設定された撮影エリア１００８内を撮影するように撮影パラメータが調整されており、撮影した画像はネットワーク１０００経由でデータ格納部１００２に記録されるように構成されている。
ここで撮影装置としてＷＥＢカメラを採用したが、本発明の撮影装置はＷＥＢカメラに限られるものではなく、ネットワークに接続できる動画、静止画撮影装置であれば、いかなる画像撮影装置でも採用することが可能である。【００１６】ワークエリア１００３には、撮影エリアに加えてバーコードリーダー１００４の読取エリア１００９が設定されており、作業者１００５は書類ホルダーを所定の向きに読取エリアに置くように業務手順を定めておくものとし、バーコードリーダーは書類ホルダーのバーコードを業務中いつでも読み取ることができるように位置と向きを決めておくものである。【００１７】図２は、実施例１に採用するバーコードリーダー１００４と書類ホルダー１００６の構成図である。
書類ホルダー１００６に付加されたバーコード２００１をＣＣＤ（Ｃｈａｒｇｅ  Ｃｏｕｐｌｅｄ  Ｄｅｖｉｃｅ  Ｉｍａｇｅ  Ｓｅｎｓｏｒ）で読み取る構成を採用している。ここで読取のためのセンサーは、ここで採用するＣＣＤタイプに限られるものではなく、レーザータイプなど他のタイプのセンサーを適宜採用可能である。バーコードの付加は、書類ホルダーの裏面にバーコードを印刷したシール等の印刷物を張り付けること、または直接に書類ホルダー面に印刷することにより実現される。【００１８】  バーコードリーダー本体２０００は、バーコード読取部２００２、制御部２００３、走査指令部２００４、そして読取情報送信部２００５という構成である。【００１９】バーコード読取部２００２は、バーコード２００１を走査し、集光された光を受光し、電気信号に変換する検知部（受光センサ）と、検知部の出力からバーコードを復調するバーコード復調部とを有する。【００２０】制御部２００３は、ＣＰＵ（プロセッサ）を含み、トリガー信号を受けると、バーコード読取部２００２の光走査部の走査を開始させ、バーコード読取部から復調データを受けると、出力部２００５の復調データ出力動作を開始させるものである。
従来のバーコードリーダーでは、一定時間中に同一の読取情報が読み取られると２重読み防止のため、操作を停止せしめるものもあるが、本発明ではトリガー信号がある限り読取動作が停止させない構成を採用する。【００２１】走査指令部２００４は、従来のバーコードリーダー構成要素にはないものである。制御部２００３に対して常時繰り返し走査開始のトリガー信号を出力する機能ブロックである。制御部の制御プログラム内に予め設定した間隔でトリガー信号を出力するプログラムと間隔制御用タイマーを組み込むことにより実装する。
ここで本発明に係る機能ブロックは上記に限られるものではなく、例えば、繰り返しの動作パターンを格納したテーブルとテーブルに格納された動作パターンを参照してトリガー信号を内部的に発信する機能ブロックを制御プログラムの光走査開始トリガー受信部位とつなげることなどにより実装する方式などを適宜採用可能である。
従来のバーコードリーダーの制御部では、トリガー信号は別途設けた物品検知部からの物品進入検知信号をトリガー信号として光走査を開始するものや、ハンディタイプのものに見られる手動のスイッチを設けて、作業者の判断で適宜光走査を開始させるものが一般的である。
このように制御プログラムの付加する形で、バーコードリーダーのいわば内部に走査開始のトリガー信号を発生させる機能を設け、常時読取の制御を行わせる方式に対応するバーコードリーダーは現在のところ知られていない。【００２２】（バーコードリーダーの動作）
図３は、バーコードリーダーの動作を示したフローチャートである。
走査指示ステップ３００１において、予め設定されたシステム始動手順又はシステム運営者の手動入力によって走査指令部２００４が走査か停止かの指示情報を制御部に送出される。特に図示しない所定のメモリ領域に指示の内容が格納され、指示内容参照ステップ３００２において指示内容の判別が行われる。指示内容が「走査」であれば、読取ステップ３００３において制御部２００３に対してトリガー信号が出力され、光走査が開始される。
このとき特に図示しない間隔制御用タイマーがカウントスタートする。カウントステップ３００４において間隔制御用タイマーを監視し、予め設定した間隔がカウントアップされた後、３００２の指示内容参照ステップの繰り返しを実行する。
ここで指示内容が走査のままであれば、指示内容が停止に変更されるまで常時読取動作が繰り返される。【００２３】（ホストコンピュータの構成）
図４は、ホストコンピュータ１００７の内部構成図である。
バーコードリーダーと通信して、読取情報や読取情報の受信パターンを認識する認識部４００１と認識部の認識結果に応じて撮影・記録手段を制御する制御部４００２を含むものである。
これらの構成部の動作は、ホストコンピュータのために予め用意されたプログラムを特に図示しないＣＰＵにおいて実行し、各種デバイスを制御することにより実現される。また、これらのプログラムは、たとえばハードディスク、ＵＳＢメモリ、ＣＤ−ＲＯＭ、ＭＯ、ＤＶＤ等のコンピュータで読み取り可能な記録媒体に記録され、ホストコンピュータによって記録媒体から読み出され、システムの運営者が操作することによって実行される。【００２４】（実施例１の動作原理）
図５は、実施例１の原理を示したタイムチャートである。
業務の進行５０００に従って、書類ホルダー１００６は読取エリア１００９の中に置かれる５００１で示す時点までバーコードリーダー１００４は５００２で示す上向きの実線矢で図示する光走査を行い、５００３破線矢で示す読取情報の非検知が繰り返されている。  ５００１の時点以後、５００４で示す時点までの間５００５で示す下向き実線矢で図示する読取情報の検知が繰り返される。
そして、業務が終了して、書類ホルダーが読取エリアから退出する５００４で示す時点以後は、バーコードリーダー１００４では上向きの実線矢で図示する光走査に対して破線矢で示す読取情報の非検知が繰り返される。【００２５】上記業務の進行５０００においてホストコンピュータ１００７は、バーコードリーダー１００４から読取情報を５００６で示す下向き実線矢で図示されるように５００１の時点以降５００４で示す時点まで繰り返し受信する。
ホストコンピュータの認識部４００１は、最初の読取情報検知を業務開始と認識し、繰り返し受信する読取情報の同一性を照合し、５００１の時点から５００４の時点までを一の業務に係る受信と判別し、この開始から終了までを一のグループとして認識し、バーコードの読取情報を参照して認識情報を生成する。
また、ホストコンピュータの制御部４００２は、上記認識を参照して、撮影・記録手段５００７に対して５００８に示す撮影・記録開始コマンドを送り、５００１の時点から撮影・記録を開始し、５００４の時点で撮影・記録終了コマンド５００９を送る。【００２６】撮影・記録手段５００７は、ホストコンピュータからの上記コマンドおよび認識情報に応じて、撮影・記録動作を行い、５０１０で示す下向き実線矢で示す撮影エリア１００８の画像を一のグループの監視データと認識し、所定の業務グループＩＤを付加して記録する。このグループＩＤは、上記認識情報もしくは認識情報と関連付けたものを採用可能であり、監視データのデータ項目として適宜採用可能である。
ここで撮影・記録手段５００７は、図１におけるｗｅｂカメラ１００１とデータ格納手段１００２を一体として機能する機能ブロックを示しているものである。【００２７】  このように生成された監視データは、後で業務事故が発見された時、その事故に関連する画像のみを抽出し、事故原因等を追跡することが出来る効果がある。
【実施例２】
【００２８】図６は、本発明の実施例２のシステムの概略構成図である。
６００１はネットワーク６０００に接続したＷＥＢカメラである。６００２は、ＷＥＢカメラの画像を記録するデータ格納部であり、ＷＥＢカメラと協働して撮影・記録手段を構成する。
６００３は業務を行うワークエリアであり、ワークエリア内にはバーコードリーダー６００４が設けられている。業務を行う作業者６００５は、バーコードが付加された書類ホルダー６００６を持って、ワークエリアに入室するように業務手順を定めて運用する。
６００７は、システム全体を管理・制御するホストコンピュータである。
ここでバーコードを書類ホルダーに付加するものとしているが、本発明の業務に供する物はこれに限定されるものではなく、業務のために商品等を運搬するトレイ等の搬器や作業指示書などの書類に付加するなど本システムを導入する事業所の事情に応じて適宜採用可能である。【００２９】ｗｅｂカメラ６００１は、ホストコンピュータ６００７の管理の下、ワークエリア内に設定された撮影エリア６００８内を撮影するように撮影パラメータが調整されており、撮影した画像はネットワーク６０００経由でデータ格納部６００２に記録されるように構成されている。
ここで撮影装置としてＷＥＢカメラを採用したが、本発明の撮影装置はＷＥＢカメラに限られるものではなく、ネットワークに接続できる動画、静止画撮影装置であれば、いかなる画像撮影装置でも採用することが可能である。【００３０】ワークエリア６００３には、撮影エリアに加えてバーコードリーダー６００４の読取エリア６００９が設定されており、作業者６００５は書類ホルダーを所定の向きに読取エリアに置くように業務手順を定めておくものとし、バーコードリーダーは書類ホルダーのバーコードを業務中いつでも読み取ることができるように位置と向きを決めておくものである。【００３１】図７は、実施例２に採用するバーコードリーダー６００４と書類ホルダー６００６の構成図である。
書類ホルダー１００６に付加されたバーコード２００１をＣＣＤ（Ｃｈａｒｇｅ  Ｃｏｕｐｌｅｄ  Ｄｅｖｉｃｅ  Ｉｍａｇｅ  Ｓｅｎｓｏｒ）で読み取る構成を採用している。ここで読取のためのセンサーは、ここで採用するＣＣＤタイプに限られるものではなく、レーザータイプなど他のタイプのセンサーを適宜採用可能である。バーコードの付加は、書類ホルダーの裏面にバーコードを印刷したシール等の印刷物を張り付けること、または直接に書類ホルダー面に印刷することにより実現される。
バーコードリーダー本体７０００は、バーコード読取部７００２、制御部７００３、走査指令受信部７００４、そして読取情報送信部７００５という構成である。【００３２】バーコード読取部７００２は、バーコード７００１を走査して、集光された光を受光し、電気信号に変換する検知部（受光センサ）と、検知部の出力からバーコードを復調するバーコード復調部とを有する。【００３３】制御部７００３は、ＣＰＵ（プロセッサ）を含み、所定のコマンドを受けると、バーコード読取部７００２の光走査部の走査を開始させ、バーコード読取部から復調データを受けると、出力部７００５の復調データ出力動作を開始させるものである。【００３４】走査指令受信部７００４は、ホストコンピュータ１００７からのコマンドを受信して、制御部７００３に対して走査開始コマンドを出力する。
従来のバーコードリーダーの制御部では、トリガー信号は別途設けた物品検知部からの物品進入検知信号をトリガー信号として光走査を開始するものや、ハンディタイプのものに見られる手動のスイッチを設けて、作業者の判断で適宜光走査を開始させるものが一般的である。
このようにホストコンピュータからのコマンドによって、バーコードリーダーの走査開始を制御する構成は本出願人の調査範囲にはないものである。【００３５】（ホストコンピュータの構成）
図８は、ホストコンピュータ６００７の内部構成図である。
バーコードリーダーに対して走査開始コマンドを所定のパターンで送信するリーダー制御部８００１、バーコードリーダーから受信した読取情報や読取情報の受信パターンを認識する認識部８００２と認識部の認識結果に応じて撮影・記録手段を制御するカメラ制御部８００３を含むものである。
上記リーダー制御部は、バーコードリーダーに対して常時繰り返し走査開始コマンドを含む信号を送信する機能ブロックである。予め設定した間隔で走査開始コマンドを含む信号を送信する出力するプログラムを実行することにより実現されるものであり、間隔制御用タイマーを設け、参照することにより上記設定した間隔で信号を送出する構成となっている。
これらの構成部の動作は、ホストコンピュータのために予め用意されたプログラムを特に図示しないＣＰＵにおいて実行し、各種デバイスを制御することにより実現される。また、プログラムは、たとえばハードディスク、ＵＳＢメモリ、ＣＤ−ＲＯＭ、ＭＯ、ＤＶＤ等のコンピュータで読み取り可能な記録媒体に記録され、ホストコンピュータによって記録媒体から読み出され、システムの運営者が操作することによって実行される。【００３６】（バーコードリーダーの制御動作）
図９は、バーコードリーダーの制御動作を示したフローチャートである。
光走査指示ステップ９００１において、ホストコンピュータのリーダー制御部８００１が走査開始のコマンドを含む信号をバーコードリーダーに送出する。このとき特に図示しない間隔制御用タイマーがカウントスタートする。信号受信ステップ９００２において、バーコードリーダーの走査指令受信部７００４は受信した信号から走査開始コマンドを抽出し、制御部７００３に出力する。
読取ステップ９００３において、バーコードリーダーの光走査が開始され、バーコードが存在すれば、読み取られ、読取情報がホストコンピュータに送出される。
カウントステップ９００４において、リーダー制御部８００１は、間隔制御用タイマーを監視し、予め設定した間隔がカウントアップされた後、９００１の走査指示ステップの繰り返しを実行する。
このようにして、本発明のシステムの動作が停止されるまで常時読取動作が繰り返される。【００３７】（実施例２の動作原理）
図１０は、実施例２の原理を示したタイムチャートである。
業務の進行１００００に従って、１０００１で示す時点で書類ホルダー６００６は読取エリア６００９の中に置かれ、業務が終了して、１０００４で示す時点で書類ホルダーが読取エリアから退出する。
ホストコンピュータ６００７は、１０００２で示す上向きの実線矢で図示する走査開始コマンドを含む信号をバーコードリーダーに対して常時繰り返し送信している。
バーコードリーダーは、信号に含まれる走査開始コマンドに従って、１０００３上向き実線矢に示す光走査を常時繰り返している。しかしながら、１０００１の時点までは、１０００４下向き破線矢で示すように光走査に対して読取情報の非検知が繰り返されている。
１０００１の時点以後、１０００４で示す時点までの間１０００５下向き実線矢で示すように読取情報の検知が繰り返され、読取情報は１０００６下向き実線矢で示す様にホストコンピュータへ送信される。そして、１０００４で示す時点以後は、上向きの実線矢で図示する光走査に対して破線矢で示す読取情報の非検知が繰り返される。【００３８】  ホストコンピュータの認識部８００２は、最初の読取情報検知を業務開始と認識し、繰り返し受信する読取情報の同一性を照合し、１０００１の時点から１０００４の時点までを一の業務に係る受信と判別し、この開始から終了までを一のグループとして認識し、バーコードの読取情報を参照して認識情報を生成する。
また、ホストコンピュータのカメラ制御部８００３は、上記認識を参照して、撮影・記録手段１０００７に対して１０００９に示す撮影・記録開始コマンドを送り、１０００１の時点から撮影・記録を開始し、１０００４の時点で撮影・記録終了コマンド１００１０を送る。【００３９】撮影・記録手段１０００７は、ホストコンピュータからの上記コマンドおよび認識情報に応じて、撮影・記録動作を行い、１００１１で示す下向き実線矢で示す撮影エリア６００８の画像を一のグループの監視データと認識し、所定の業務グループＩＤを付加して記録する。  このグループＩＤは、上記認識情報もしくは認識情報と関連付けたものを採用可能であり、監視データのデータ項目として適宜採用可能である。
ここで撮影・記録手段１０００８は、図６におけるｗｅｂカメラ６００１とデータ格納手段６００２を一体として示した機能ブロックを示しているものである。【００４０】  このように生成された監視データは、後で業務事故が発見された時、その事故に関連する画像のみを抽出し、事故原因等を追跡することが出来る効果がある。
【産業上の利用可能性】
【００４１】本発明のシステムは、注意深い作業が要求される業務において、そのワークエリアでの作業を記録し、事故や過誤が発生した場合でも、その事故や過誤に関連する画像を迅速に検索し、作業を確認することが比較的低コストで可能となり、高度なトレーサビリティが強く求められる業界において利用の可能性を広げる効果がある。
【符号の説明】
【００４２】１０００  ネットワークワークエリア
１００１  ＷＥＢカメラ
１００２  データ格納手段
１００３  ワークエリア
１００４  バーコードリーダー
１００５  作業者
１００６  書類ホルダー
１００７  ホストコンピュータ
【図１】
2012114886.tif 000003
【図２】
2012114886.tif 000004
【図３】
2012114886.tif 000005
【図４】
2012114886.tif 000006
【図５】
2012114886.tif 000007
【図６】
2012114886.tif 000008
【図７】
2012114886.tif 000009
【図８】
2012114886.tif 000010
【図９】
2012114886.tif 000011
【図１０】
2012114886.tif 000012